(57)【特許請求の範囲】
【請求項１】
クリック機構を備えた可変抵抗器の両端子にそれぞれ極性の異なる同一タイミングの矩形波を印加するパルス回路と、前記可変抵抗器の摺動子に接続された中央端子からの出力矩形波を入力とし、該出力矩形波をデジタル信号へ変換するＡ／Ｄ変換回路と、変換された前記デジタル信号を記憶する記憶回路とを備え、
さらに、前記可変抵抗器のクリック位置における前記中央端子からの出力波高値をデジタル化し初期設定値として前記記憶回路に記憶し、該記憶回路から読み出した前記初期設定値と、デジタル化された前記中央端子からの出力矩形波の波高値とからその差を演算し出力する演算手段と、を備えてなることを特徴とするセンタクリック付き可変抵抗器の位置誤差補正装置。
【請求項２】
前記演算手段が、前記記憶回路から読み出した前記初期設定値ｄofsと、前記矩形波の波高値がローレベルのときのデジタル変換された値をｄ'１とし、矩形波の波高値がハイレベルのときのデジタル変換された値をｄ'２として、
ｄ'１−ｄ'２≧ｄ ofsのとき、（ｄ'１−ｄ'２−ｄ ofs）／（ｄ'１＋ｄ'２−ｄ ofs）、
ｄ'１−ｄ'２＜ｄ ofsのとき、（ｄ'１−ｄ'２−ｄ ofs）／（ｄ'１＋ｄ'２＋ｄ ofs）の計算式に従って演算し出力するものであることを特徴とする請求項１に記載のセンタクリック付き可変抵抗器の位置誤差補正装置。
【請求項３】
請求項１又は２に記載のセンタクリック付き可変抵抗器の位置誤差補正装置を備えてなることを特徴とするステレオ音響装置。
【請求項４】
請求項１又は２に記載のセンタクリック付き可変抵抗器の位置誤差補正装置を備えてなることを特徴とするカラーテレビのクロマ、ヒューなどカラー調整回路を備えてなる映像装置。
【発明の詳細な説明】
【技術分野】
【０００１】
この発明は、センタクリック付き可変抵抗器のクリック位置を電気的中点位置に補正するセンタクリック付き可変抵抗器の位置誤差補正装置に関する。
【背景技術】
【０００２】
従来より、ステレオ音響装置の左右の音量バランス中点位置や、低音・高音等音質調整用可変抵抗器等を中点位置に調整する場合など、中点位置を分かりやすくするために可変抵抗器の可変範囲の機械的な中点位置にクリック機構を設けている。
【０００３】
このため、ステレオ音響装置の左右の音量バランス等の電気的中点位置と、機械的中点位置であるクリック位置を正確に合わせるために、音量バランス調整用可変抵抗器には同軸の２連式で、中点位置から両端子間それぞれ片側を抵抗体塗膜のない特殊な可変抵抗器を使用していた。
【０００４】
他の方法として、クリック位置を機械的に可変できる機構を備えた可変抵抗器を使用し、電気的中点位置が得られる中点位置にクリック位置がくるようにクリック位置可変機構を調整していた。
【特許文献１】特許公開平０９−２９８１０２号公報
【特許文献２】実用新案公開平０５−０６３２００号公報
【発明の開示】
【発明が解決しようとする課題】
【０００５】
しかしながら、上述した従来の方法では、特殊な同軸２連式可変抵抗器や、機械的なクリック位置可変機構付きセンタクリック付き可変抵抗器は高価であり、廉価な音響機器には採用が困難であった。そこで、可変抵抗器の機械的中点位置を電気的中点に補正できるセンタクリック付き可変抵抗器の位置誤差補正装置を提供する。
【課題を解決するための手段】
【０００６】
本願発明者は、上記に鑑み鋭意研究の結果、次の手段によりこの課題を解決した。
（１）クリック機構を備えた可変抵抗器の両端子にそれぞれ極性の異なる同一タイミングの矩形波を印加するパルス回路と、前記可変抵抗器の摺動子に接続された中央端子からの出力矩形波を入力とし、該出力矩形波をデジタル信号へ変換するＡ／Ｄ変換回路と、変換された前記デジタル信号を記憶する記憶回路とを備え、
さらに、前記可変抵抗器のクリック位置における前記中央端子からの出力波高値をデジタル化し初期設定値として前記記憶回路に記憶し、該記憶回路から読み出した前記初期設定値と、デジタル化された前記中央端子からの出力矩形波の波高値とからその差を演算し出力する演算手段と、を備えてなることを特徴とするセンタクリック付き可変抵抗器の位置誤差補正装置。
【０００７】
（２）前記出力信号が、前記記憶回路４から読み出した前記初期設定値ｄofsと、前記矩形波の波高値がローレベルのときのデジタル変換された値をｄ'１とし、矩形波の波高値がハイレベルのときのデジタル変換された値をｄ'２として、
ｄ'１−ｄ'２≧ｄ ofsのとき、（ｄ'１−ｄ'２−ｄ ofs）／（ｄ'１＋ｄ'２−ｄ ofs）、
ｄ'１−ｄ'２＜ｄ ofsのとき、（ｄ'１−ｄ'２−ｄ ofs）／（ｄ'１＋ｄ'２＋ｄ ofs）の計算式に従って演算し出力するものであることを特徴とする前項（１）に記載のセンタクリック付き可変抵抗器の位置誤差補正装置。
【０００８】
（３）前項（１）又は（２）に記載のセンタクリック付き可変抵抗器の位置誤差補正装置を備えてなることを特徴とするステレオ音響装置。
（４）前項（１）又は（２）に記載のセンタクリック付き可変抵抗器の位置誤差補正装置を備えてなることを特徴とするカラーテレビのクロマ、ヒューなどカラー調整回路を備えてなる映像装置。
【発明の効果】
【０００９】
本願発明によれば、次のような効果が発揮される。
１．本願発明の請求項１及び請求項２の発明によれば、下記の効果が発揮される。従来技術においては、パルス回路によって可変抵抗器の両端子にそれぞれ極性の異なる同一タイミングの矩形波が印加されても、例えば、一般的な廉価な市販センタクリック付き可変抵抗器のクリック位置における抵抗値誤差は±３０％あり、またクリック位置の回転角度誤差±５度などの誤差のため、前記可変抵抗器の中央端子に出力される矩形波は相殺されたゼロレベルにはならず、前記誤差のため正負いずれかの矩形波が出力されることが多い。
【００１０】
しかるに本願発明では、前記可変抵抗器のクリック位置における前記中央端子からの出力波高値をデジタル化し初期設定値として前記記憶回路に記憶し、通常使用時において、該記憶回路から読み出した前記初期設定値と、デジタル化された前記中央端子からの出力矩形波の波高値とからその差を演算し出力端子へ出力しているので、前記クリック位置においては矩形波が相殺されたゼロレベルの値が前記出力端子に出力される。
【００１１】
さらに、前記センタクリック付き可変抵抗器の両端子に加える矩形波が極性の異なる同一タイミングであれば、両端子に加える矩形波のそれぞれのレベルが異なっていても、常に前記クリック位置においては矩形波が相殺されたゼロレベルの値が前記出力端子に出力される。
【００１２】
また、可変抵抗器に矩形波を加えるのみなので、廉価な一般市販品を使用しても、可変抵抗器に直流電流を長期間流して使用することによるマイグレーション現象を防止することができる。
さらに、誤差の大きい廉価な一般市販品のセンタクリック付き可変抵抗器でも使用することができるのでコスト低減、小型化、軽量化ができる。
【００１３】
２．請求項３及び請求項４の発明によれば、
前記請求項１及び請求項２の効果に加えて、前記演算手段が、前記記憶回路から読み出した前記初期設定値と、デジタル化された前記中央端子からの出力矩形波の波高値とからその差を演算し、演算されたそのデジタル出力値をステレオ音響装置の左右の音量バランス調整又は低音・高音等音質調整用回路、又は映像装置であるカラーテレビのクロマ、ヒューなどカラー調整回路等の制御のために送出すれば、前記クリック位置が正しくバランス調整された、すなわち、機械的中点位置が電気的中点位置と合致した位置とすることができる。
【発明を実施するための最良の形態】
【００１４】
本願発明を実施するための最良の形態を実施例図を用いて説明する。
図１は本願発明のセンタクリック付き可変抵抗器の位置誤差補正装置の実施例回路図、図２は同発明の位置誤差補正装置実施例の各部波形図である。
【００１５】
図１及び図２において、センタクリック付き可変抵抗器の位置誤差補正装置１は、電源ＶｃｃからＦＥＴ（電界効果トランジスタ）Ｑ１、Ｑ２へ電源を供給する固定抵抗器Ｒ１、Ｒ２と、センタクリック付き可変抵抗器ＶＲの両端子にそれぞれ極性の異なる同一タイミングの矩形波を印加するＦＥＴＱ１、Ｑ２とで構成するパルス回路と、前記センタクリック付き可変抵抗器ＶＲの摺動子に接続された中央端子からの出力矩形波（ｄ）を入力とし、該出力矩形波（ｄ）をデジタル信号へ変換するＡ／Ｄ変換回路３と、前記可変抵抗器のクリック位置における中央端子からの出力波高値をデジタル化し初期設定値として記憶する記憶回路４と、Ａ／Ｄ変換回路３の出力信号と記憶回路４から読み出した初期設定値とを演算する演算手段５と、出力端子６で構成されている。
【００１６】
入力端子２から電位Ｈ（Ｈｉｇｈ）、電位Ｌ（Ｌｏｗ）を有する数ｍｓ〜数十ｍｓ間隔の矩形波（ａ）がＦＥＴＱ１のゲートへ入力されると、ＦＥＴＱ１のソースには入力矩形波（ａ）の反転波で電位０及びＶｃｃを固定抵抗器Ｒ１と可変抵抗器ＶＲで分圧された電位Ｖｓ１の矩形波（ｂ）が発生する。
【００１７】
また、ＦＥＴＱ１のソースはＦＥＴＱ２のゲートに接続されているのでＦＥＴＱ２のソースには再度反転された電位Ｖｃｃを固定抵抗器Ｒ２と可変抵抗器ＶＲで分圧された電位Ｖｓ２及び電位０の矩形波（ｃ）が発生する。
【００１８】
前記ＦＥＴＱ１、Ｑ２のそれぞれのソースに接続されたセンタクリック付き可変抵抗器ＶＲの両端子にはそれぞれ極性の異なる同一タイミングの矩形波が印加され、前記センタクリック付き可変抵抗器ＶＲの摺動子に接続された中央端子からは矩形波（ｂ）と矩形波（ｃ）をセンタクリック付き可変抵抗器ＶＲで分圧された矩形波（ｄ）が出力される。
【００１９】
矩形波（ｄ）は、固定抵抗器Ｒ１、Ｒ２が同一抵抗値Ｒとすると、センタクリック付き可変抵抗器ＶＲのクリック位置がその抵抗値の正確な中央位置に位置している場合は、両端子に印加された矩形波がキャンセルされて出力矩形波として現れず、Ｖｃｃ×ＶＲ全抵抗値／２（ＶＲ全抵抗値＋Ｒ）の一定な電位が出力される。
【００２０】
しかし、一般的に、廉価な市販のセンタクリック付き可変抵抗器のクリック位置における抵抗値誤差は±３０％あり、またクリック位置の回転角度誤差±５度などの誤差のため、前記可変抵抗器ＶＲの中央端子に出力される矩形波は相殺された一定の電位にはならず、前記誤差のため正負いずれかの極性を持った前記一定の電位ｄ１及び電位ｄ２を有する矩形波（ｄ）が出力されることが多い。
【００２１】
前記センタクリック付き可変抵抗器ＶＲの摺動子に接続された中央端子から出力された矩形波（ｄ）はＡ／Ｄ変換回路３へ入力され、デジタル変換される。
【００２２】
デジタル変換された矩形波（ｄ’）において、前記矩形波（ａ）がＬのときデジタル変換された値をｄ'１とし、また、矩形波（ａ）がＨのときデジタル変換された値をｄ'２とすれば、前記可変抵抗器のクリック位置におけるデジタル変換された値ｄ'１−ｄ'２を初期設定値ｄ ofsとして前記記憶回路４に記憶される。
【００２３】
前記記憶回路４から読み出した前記初期設定値ｄ ofsと、Ａ／Ｄ変換回路３から出力されデジタル変換された値ｄ'１、ｄ'２とを下記式１、２に従って演算手段５で演算して出力端子６へ出力する。
【００２４】
前記演算手段５では、
ｄ'１−ｄ'２≧ｄ ofsのとき、
（ｄ'１−ｄ'２−ｄ ofs）／（ｄ'１＋ｄ'２−ｄ ofs）・・・１式
ｄ'１−ｄ'２＜ｄ ofsのとき、
（ｄ'１−ｄ'２−ｄ ofs）／（ｄ'１＋ｄ'２＋ｄ ofs）・・・２式
に従って演算される。
【００２５】
したがって、通常の使用状態における出力端子６から出力される出力信号は、前記センタクリック付き可変抵抗器ＶＲの全可変範囲において前記初期設定値ｄ ofsによって補正された出力信号が得られる。
【００２６】
すなわち、例えば、図示しないステレオ音響機器の左右の音量バランス調整又は低音・高音等音質調整回路、さらにはカラーテレビのクロマ、ヒューなどカラー調整回路等へ前記初期設定値ｄ ofsによって補正された回路駆動出力信号が出力端子６から供給されると、センタクリック付き可変抵抗器ＶＲのクリック位置にあるときは常にバランスがとれた位置となり、機械的中点位置が電気的中点位置と合致した状態が得られる。
【００２７】
また、パルス回路は本実施例にこだわらず、センタクリック付き可変抵抗器ＶＲの両端子にそれぞれ極性の異なる矩形波を印加することができるパルス回路であればよい。
【産業上の利用可能性】
【００２８】
センタクリック付き可変抵抗器のクリック位置における値を初期設定値として前記記憶回路に記憶するのみで、機械的中点位置が電気的中点位置と合致した状態が得られるセンタクリック付き可変抵抗器の位置誤差補正装置を構成できるので、ステレオ音響装置の左右の音量バランス調整や、低音・高音等音質調整用可変抵抗器、又は映像装置であるカラーテレビのクロマ、ヒュー等カラー調整回路のセンタクリック付き可変抵抗器の位置誤差補正装置として応用できる。
【図面の簡単な説明】
【００２９】
【図１】本願発明のセンタクリック付き可変抵抗器の位置誤差補正装置の実施例回路図
【図２】同発明の位置誤差補正装置実施例の各部波形図
【符号の説明】
【００３０】
１：センタクリック付き可変抵抗器の位置誤差補正装置
２：入力端子
３：Ａ／Ｄ変換回路
４：記憶回路
５：演算手段
６：出力端子
Ｖｃｃ：電源
Ｑ１、Ｑ２：ＦＥＴ
Ｒ１、Ｒ２：固定抵抗器
ＶＲ：センタクリック付き可変抵抗器
【図１】
0004471124.tif 000002
【図２】
0004471124.tif 000003